【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
パケットを送信するための方法であって、
電力線通信ネットワークの第１のネットワークデバイスから第２のネットワークデバイスにアプリケーションデータを送信することを決定することと、
前記アプリケーションデータの長さとしきい値長さとを比較することと、
前記アプリケーションデータの前記長さが前記しきい値長さを超えないと決定することに応答して、ショートパケットのフレーム制御フィールドのアプリケーションデータ部分を送信するためのショートパケット送信技法と前記ショートパケットの前記フレーム制御フィールドの制御情報部分を送信するための知られているパケット送信技法とを選択することと、ここにおいて、前記ショートパケット送信技法が、前記アプリケーションデータを前記ショートパケットの前記フレーム制御フィールドの前記アプリケーションデータ部分中に挿入することを含み、前記知られているパケット送信技法が、前記電力線通信ネットワーク上のレガシーネットワークデバイスによってサポートされ、前記ショートパケット送信技法が、前記レガシーネットワークデバイスによってサポートされない、
前記電力線通信ネットワーク上で前記ショートパケットを送信することと、
を備える、方法。
【請求項２】
前記アプリケーションデータの前記長さが前記しきい値長さを超えると決定することに応答して、前記ショートパケットのペイロードフィールド内で前記アプリケーションデータを送信することを決定することをさらに備える、請求項１に記載の方法。
【請求項３】
前記ショートパケット送信技法と前記知られているパケット送信技法とを選択することが、
前記フレーム制御フィールドの前記アプリケーションデータ部分のために第１の変調技法を選択し、前記フレーム制御フィールドの前記制御情報部分のために前記第１の変調技法とは異なる第２の変調技法を選択することと、
前記フレーム制御フィールドの前記アプリケーションデータ部分のために第１の送信モードを選択し、前記フレーム制御フィールドの前記制御情報部分のために前記第１の送信モードとは異なる第２の送信モードを選択することと、
前記フレーム制御フィールドの前記アプリケーションデータ部分のために第１のキャリアスペーシングを選択し、前記フレーム制御フィールドの前記制御情報部分のために前記第１のキャリアスペーシングとは異なる第２のキャリアスペーシングを選択することと、
前記フレーム制御フィールドの前記アプリケーションデータ部分のために第１のサンプリング周波数を選択し、前記フレーム制御フィールドの前記制御情報部分のために前記第１のサンプリング周波数とは異なる第２のサンプリング周波数を選択することと、
から成るグループのうちの少なくとも１つのメンバーを実施することを含む、請求項１に記載の方法。
【請求項４】
前記ショートパケットの前記フレーム制御フィールドが、
前記フレーム制御フィールドが前記アプリケーションデータを含むことのインジケーションと、
前記アプリケーションデータの前記長さのインジケーションと、
を備える、請求項１に記載の方法。
【請求項５】
第１のＦＦＴサイズを使用して前記フレーム制御フィールドの前記アプリケーションデータ部分を符号化し、前記第１のＦＦＴサイズとは異なる第２のＦＦＴサイズを使用して前記フレーム制御フィールドの前記制御情報部分を符号化することと、
第１の符号化方式を使用して前記フレーム制御フィールドの前記アプリケーションデータ部分を符号化し、前記第１の符号化方式とは異なる第２の符号化方式モードを使用して前記フレーム制御フィールドの前記制御情報部分を符号化することと、
から成るグループのうちの少なくとも１つのメンバーを実施することをさらに備える、請求項１に記載の方法。
【請求項６】
前記ショートパケット送信技法をサポートしない前記レガシーネットワークデバイスを前記電力線通信ネットワークが含むと決定することをさらに備える、請求項１に記載の方法。
【請求項７】
前記ショートパケット送信技法が前記アプリケーションデータに適用されることのインジケーションを送信することをさらに備える、請求項１に記載の方法。
【請求項８】
第１のネットワークデバイスであって、
プロセッサと、
機械実行可能命令を記憶するためのメモリとを備え、前記機械実行可能命令が、前記プロセッサによって実行されたときに、
電力線通信ネットワークの第２のネットワークデバイスにアプリケーションデータを送信することを決定することと、
前記アプリケーションデータの長さとしきい値長さとを比較することと、
前記アプリケーションデータの前記長さが前記しきい値長さを超えないことの決定に応答して、ショートパケットのフレーム制御フィールドのアプリケーションデータ部分を送信するためのショートパケット送信技法と前記ショートパケットの前記フレーム制御フィールドの制御情報部分を送信するための知られているパケット送信技法とを選択することと、ここにおいて、前記ショートパケット送信技法が、前記ショートパケットの前記フレーム制御フィールドの前記アプリケーションデータ部分中への前記アプリケーションデータの挿入を含み、前記知られているパケット送信技法が、前記電力線通信ネットワーク上のレガシーネットワークデバイスによってサポートされ、前記ショートパケット送信技法が、前記レガシーネットワークデバイスによってサポートされない、
前記電力線通信ネットワーク上で前記ショートパケットを送信することと、
を前記第１のネットワークデバイスに行わせる、
第１のネットワークデバイス。
【請求項９】
前記命令が、前記プロセッサによって実行されたときに、さらに、
前記アプリケーションデータの前記長さが前記しきい値長さを超えることの決定に応答して、前記ショートパケットのペイロードフィールド内で前記アプリケーションデータを送信することを決定することを前記第１のネットワークデバイスに行わせる、請求項８に記載の第１のネットワークデバイス。
【請求項１０】
前記ショートパケットの前記フレーム制御フィールドが、
前記フレーム制御フィールドが前記アプリケーションデータを含むことのインジケーションと、
前記アプリケーションデータの前記長さのインジケーションと、
を備える、請求項８に記載の第１のネットワークデバイス。
【請求項１１】
前記ショートパケット送信技法と前記知られているパケット送信技法とを選択することを前記第１のネットワークデバイスに行わせる前記命令が、
前記フレーム制御フィールドの前記アプリケーションデータ部分のために第１の変調技法を選択し、前記フレーム制御フィールドの前記制御情報部分のために前記第１の変調技法とは異なる第２の変調技法を選択することと、
前記フレーム制御フィールドの前記アプリケーションデータ部分のために第１の送信モードを選択し、前記フレーム制御フィールドの前記制御情報部分のために前記第１の送信モードとは異なる第２の送信モードを選択することと、
前記フレーム制御フィールドの前記アプリケーションデータ部分のために第１のキャリアスペーシングを選択し、前記フレーム制御フィールドの前記制御情報部分のために前記第１のキャリアスペーシングとは異なる第２のキャリアスペーシングを選択することと、
前記フレーム制御フィールドの前記アプリケーションデータ部分のために第１のサンプリング周波数を選択し、前記フレーム制御フィールドの前記制御情報部分のために前記第１のサンプリング周波数とは異なる第２のサンプリング周波数を選択することと、
第１のＦＦＴサイズを使用して前記フレーム制御フィールドの前記アプリケーションデータ部分を符号化し、前記第１のＦＦＴサイズとは異なる第２のＦＦＴサイズを使用して前記フレーム制御フィールドの前記制御情報部分を符号化することと、
第１の符号化方式を使用して前記フレーム制御フィールドの前記アプリケーションデータ部分を符号化し、前記第１の符号化方式とは異なる第２の符号化方式モードを使用して前記フレーム制御フィールドの前記制御情報部分を符号化することと、
から成るグループのうちの少なくとも１つのメンバーを実施するための命令を含む、請求項８に記載の第１のネットワークデバイス。
【請求項１２】
機械実行可能命令を記憶した非一時的機械可読記憶媒体であって、前記機械実行可能命令が、
電力線通信ネットワークの第２のネットワークデバイスにアプリケーションデータを送信することを決定することと、
前記アプリケーションデータの長さとしきい値長さとを比較することと、
前記アプリケーションデータの前記長さが前記しきい値長さを超えないことの決定に応答して、ショートパケットのフレーム制御フィールドのアプリケーションデータ部分を送信するためのショートパケット送信技法と前記ショートパケットの前記フレーム制御フィールドの制御情報部分を送信するための知られているパケット送信技法とを選択することと、ここにおいて、前記ショートパケット送信技法が、前記ショートパケットの前記フレーム制御フィールドの前記アプリケーションデータ部分中への前記アプリケーションデータの挿入を含み、前記知られているパケット送信技法が、前記電力線通信ネットワーク上のレガシーネットワークデバイスによってサポートされ、前記ショートパケット送信技法が、前記レガシーネットワークデバイスによってサポートされない、
前記電力線通信ネットワーク上で前記ショートパケットを送信することと、
を行うための命令を備える、非一時的機械可読記憶媒体。
【請求項１３】
前記命令が、
前記フレーム制御フィールドの前記アプリケーションデータ部分のために第１の変調技法を選択し、前記フレーム制御フィールドの前記制御情報部分のために前記第１の変調技法とは異なる第２の変調技法を選択することと、
前記フレーム制御フィールドの前記アプリケーションデータ部分のために第１の送信モードを選択し、前記フレーム制御フィールドの前記制御情報部分のために前記第１の送信モードとは異なる第２の送信モードを選択することと、
前記フレーム制御フィールドの前記アプリケーションデータ部分のために第１のキャリアスペーシングを選択し、前記フレーム制御フィールドの前記制御情報部分のために前記第１のキャリアスペーシングとは異なる第２のキャリアスペーシングを選択することと、
前記フレーム制御フィールドの前記アプリケーションデータ部分のために第１のサンプリング周波数を選択し、前記フレーム制御フィールドの前記制御情報部分のために前記第１のサンプリング周波数とは異なる第２のサンプリング周波数を選択することと、
から成るグループのうちの少なくとも１つのメンバーを実施するための命令をさらに備える、請求項１２に記載の非一時的機械可読記憶媒体。
【請求項１４】
前記命令が、前記ショートパケット送信技法をサポートしない前記レガシーネットワークデバイスを前記電力線通信ネットワークが含むと決定するための命令をさらに含む、請求項１２に記載の非一時的機械可読記憶媒体。
【請求項１５】
前記機械実行可能命令が、
前記アプリケーションデータの前記長さが前記しきい値長さを超えることの決定に応答して、前記ショートパケットのペイロードフィールド内で前記アプリケーションデータを送信することを決定するための命令をさらに備える、請求項１２に記載の非一時的機械可読記憶媒体。
【請求項１６】
前記機械実行可能命令が、
第１のＦＦＴサイズを使用して前記フレーム制御フィールドの前記アプリケーションデータ部分を符号化し、前記第１のＦＦＴサイズとは異なる第２のＦＦＴサイズを使用して前記フレーム制御フィールドの前記制御情報部分を符号化することと、
第１の符号化方式を使用して前記フレーム制御フィールドの前記アプリケーションデータ部分を符号化し、前記第１の符号化方式とは異なる第２の符号化方式モードを使用して前記フレーム制御フィールドの前記制御情報部分を符号化することと、
から成るグループのうちの少なくとも１つのメンバーを実施するための命令をさらに備える、請求項１２に記載の非一時的機械可読記憶媒体。
【請求項１７】
前記機械実行可能命令が、
前記第１のネットワークデバイスの通信能力と、前記第２のネットワークデバイスの通信能力と、前記アプリケーションデータを生成したアプリケーションとから成るグループのうちの少なくとも１つのメンバーに少なくとも部分的に基づいて前記ショートパケット内で前記アプリケーションデータを送信することを決定するための命令をさらに備える、請求項１２に記載の非一時的機械可読記憶媒体。
【請求項１８】
前記機械実行可能命令が、
前記アプリケーションデータの前記長さが第１のしきい値長さを超えるが第２のしきい値長さを超えないときに、前記ショートパケットのペイロードフィールド内で前記アプリケーションデータを送信することを決定するための命令をさらに備える、請求項１２に記載の非一時的機械可読記憶媒体。
【請求項１９】
前記第１のしきい値長さが所定のフレーム制御フィールド長さであり、前記第２のしきい値長さが所定のペイロードフィールド長さである、請求項１８に記載の非一時的機械可読記憶媒体。
【請求項２０】
前記機械実行可能命令が、
前記電力線通信ネットワークが前記レガシーネットワークデバイスを含むと決定することと、
前記レガシーネットワークデバイスと関連付けられる時間間隔に少なくとも部分的に基づいて前記ショートパケットを生成することと、
を行うための命令をさらに備える、請求項１２に記載の非一時的機械可読記憶媒体。
【請求項２１】
前記時間間隔が、競合ウィンドウフレーム間スペース（ＣＩＦＳ）である、請求項２０に記載の非一時的機械可読記憶媒体。
【請求項２２】
前記機械実行可能命令が、
前記電力線通信ネットワーク内で前記ショートパケットのフレーム開始デリミタを送信することと、ここにおいて、前記レガシーネットワークデバイスが、前記フレーム開始デリミタを検出することに応答して前記時間間隔の間に通信を開始しない、
前記時間間隔の間に前記ショートパケットの残部を送信することと、
を行うための命令をさらに備える、請求項２０に記載の非一時的機械可読記憶媒体。
【請求項２３】
前記アプリケーションデータの前記長さが、前記知られているパケット送信技法と関連付けられるプロトコルによって指定された最小の所定のペイロードフィールド長さより短い、請求項１２に記載の非一時的機械可読記憶媒体。
【請求項２４】
前記知られているパケット送信技法と関連付けられる通信プロトコルによって指定された最小の所定のペイロードフィールド長さより短いペイロードフィールド長さを選択することをさらに備える、請求項２に記載の方法。
【請求項２５】
前記第１のネットワークデバイスの通信能力と、前記第２のネットワークデバイスの通信能力と、前記アプリケーションデータを生成したアプリケーションとから成るグループのうちの少なくとも１つのメンバーに少なくとも部分的に基づいて前記ショートパケット内で前記アプリケーションデータを送信することを決定することをさらに備える、請求項１に記載の方法。
【請求項２６】
前記アプリケーションデータの前記長さが第１のしきい値長さを超えるが第２のしきい値長さを超えないときに、前記ショートパケットのペイロードフィールド内で前記アプリケーションデータを送信することを決定することをさらに備える、請求項１に記載の方法。
【請求項２７】
前記第１のしきい値長さが所定のフレーム制御フィールド長さであり、前記第２のしきい値長さが所定のペイロードフィールド長さである、請求項２６に記載の方法。
【請求項２８】
前記ショートパケット送信技法が、第１の符号化技法と、第１の送信モードと、第１の変調技法とから成るグループのうちの少なくとも１つのメンバーを含み、前記知られているパケット送信技法が、第２の符号化技法と、第２の送信モードと、第２の変調技法とから成るグループのうちの少なくとも１つのメンバーを含む、請求項１に記載の方法。
【請求項２９】
前記電力線通信ネットワークが前記レガシーネットワークデバイスを含むと決定することと、
前記レガシーネットワークデバイスと関連付けられる時間間隔に少なくとも部分的に基づいて前記ショートパケットを生成することと、
をさらに備える、請求項１に記載の方法。
【請求項３０】
前記時間間隔が、競合ウィンドウフレーム間スペース（ＣＩＦＳ）である、請求項２９に記載の方法。
【請求項３１】
前記電力線通信ネットワーク内で前記ショートパケットのフレーム開始デリミタを送信することと、ここにおいて、前記レガシーネットワークデバイスが、前記フレーム開始デリミタを検出することに応答して前記時間間隔の間に通信を開始しない、
前記時間間隔の間に前記ショートパケットの残部を送信することと、
をさらに備える、請求項２９に記載の方法。
【請求項３２】
前記ショートパケット内で前記アプリケーションデータを送信するための複数の通信キャリアを選択することをさらに備える、請求項１に記載の方法。
【請求項３３】
前記ショートパケットが、前記ショートパケットを送信するために使用される前記複数の通信キャリアのインジケーションを含む、請求項３２に記載の方法。
【請求項３４】
前記ショートパケットのペイロードフィールド長さが、前記知られているパケット送信技法と関連付けられるプロトコルによって指定された最小の所定のペイロードフィールド長さより短い、請求項８に記載の第１のネットワークデバイス。
【請求項３５】
前記アプリケーションデータを送信するための前記ショートパケット送信技法と、前記制御情報を送信するための前記知られているパケット送信技法との前記選択が、前記ショートパケット送信技法をサポートしない前記レガシーネットワークデバイスを前記電力線通信ネットワークが含むことの決定に応答するものである、請求項８に記載の第１のネットワークデバイス。
【請求項３６】
前記機械実行可能命令が、
前記ショートパケット送信技法が前記アプリケーションデータに適用されることのインジケーションを送信するための命令をさらに含む、請求項８に記載の第１のネットワークデバイス。
【請求項３７】
前記機械実行可能命令が、
前記アプリケーションデータの前記長さが前記しきい値長さを超えることの決定に応答して、前記ショートパケットのペイロードフィールド内で前記アプリケーションデータを送信することを決定するための命令をさらに備え、
前記アプリケーションデータの前記長さと前記複数のペイロードフィールド長さとの前記比較が、前記ペイロードフィールド内で前記アプリケーションデータを送信することを決定することに応答するものである、請求項８に記載の第１のネットワークデバイス。
【請求項３８】
前記機械実行可能命令が、
前記第１のネットワークデバイスの通信能力と、前記第２のネットワークデバイスの通信能力と、前記アプリケーションデータを生成したアプリケーションとから成るグループのうちの少なくとも１つのメンバーに少なくとも部分的に基づいて前記ショートパケット内で前記アプリケーションデータを送信することを決定するための命令をさらに備える、請求項８に記載の第１のネットワークデバイス。
【請求項３９】
前記機械実行可能命令が、
前記アプリケーションデータの前記長さが第１のしきい値長さを超えるが第２のしきい値長さを超えないときに、前記ショートパケットのペイロードフィールド内で前記アプリケーションデータを送信することを決定するための命令をさらに備える、請求項８に記載の第１のネットワークデバイス。
【請求項４０】
前記第１のしきい値長さが所定のフレーム制御フィールド長さであり、前記第２のしきい値長さが所定のペイロードフィールド長さである、請求項３９に記載の第１のネットワークデバイス。
【請求項４１】
前記機械実行可能命令が、
前記電力線通信ネットワークが前記レガシーネットワークデバイスを含むと決定することと、
前記レガシーネットワークデバイスと関連付けられる時間間隔に少なくとも部分的に基づいて前記ショートパケットを生成することと、
を行うための命令をさらに備える、請求項８に記載の第１のネットワークデバイス。
【請求項４２】
前記時間間隔が、競合ウィンドウフレーム間スペース（ＣＩＦＳ）である、請求項４１に記載の第１のネットワークデバイス。
【請求項４３】
前記第１のネットワークデバイスおよび前記第２のネットワークデバイスが、車両の前記電力線通信ネットワーク内に含まれる、請求項８に記載の第１のネットワークデバイス。
【請求項４４】
前記第１のネットワークデバイスが車両であり、前記第２のネットワークデバイスが電気車両充電機器である、請求項８に記載の第１のネットワークデバイス。